(57)【要約】【課題】本発明は、従来にない画期的な作用効果を発揮する衣服のシワ伸ばし装置を提供することを目的とする。【解決手段】上着やズボンなどの衣服１のシワを伸ばすシワ伸ばし装置であって、衣服１を吊り下げ状態で収納し得る収納体２が設けられ、この収納体２内には衣服１の内側に位置し該衣服１を保持して吊り下げ状態に配設する吊下部４が設けられ、収納体２内にして吊下部４の上部所定位置には蒸気を供給する蒸気供給部３が設けられたものである。【選択図】　　　　図１
2004033300.tif 000002
【特許請求の範囲】
【請求項１】
上着やズボンなどの衣服のシワを伸ばすシワ伸ばし装置であって、衣服を吊り下げ状態で収納し得る収納体が設けられ、この収納体内には衣服の内側に位置し該衣服を保持して吊り下げ状態に配設する吊下部が設けられ、収納体内にして吊下部の上部所定位置には蒸気を供給する蒸気供給部が設けられていることを特徴とする衣服のシワ伸ばし装置。
【請求項２】
請求項１記載の衣服のシワ伸ばし装置において、前記吊下部には、吊り下げ状態とした衣服の内部へ前記蒸気供給部から供給される蒸気を導入する蒸気導入部が設けられていることを特徴とする衣服のシワ伸ばし装置。
【請求項３】
請求項１，２いずれか１項に記載の衣服のシワ伸ばし装置において、前記吊下部には、吊り下げ状態とした衣服を揺動せしめる揺動機構が設けられていることを特徴とする衣服のシワ伸ばし装置。
【発明の詳細な説明】
【０００１】
【発明の属する技術分野】
本発明は、上着やズボンなどの衣服に生じたシワを伸ばす衣服のシワ伸ばし装置に関するものである。
【０００２】
【従来の技術及び発明が解決しようとする課題】
従来から、上着やズボンなどのシワを伸ばすシワ伸ばし装置（以下、従来例）が提案されている。
【０００３】
この従来例は、例えば上着を吊り下げ状態で収納し得る収納体が設けられ、この収納体の下方位置には蒸気供給部が設けられ、この蒸気供給部から上着に対して蒸気を供給することでシワ伸ばしが行われるように構成したものである。
【０００４】
そこで、本出願人は、この従来例について種々試してみたところ、例えば何着もの上着を吊り下げ状態にしてシワ伸ばしを行おうとした場合には、例えば重なり合う上着同士の間及び上着の内部には蒸気が行き渡りにくく良好にシワ伸ばしが行われない場合があることを確認した。
【０００５】
本発明は、従来にない構造から良好なシワ伸ばしが行われる極めて画期的な衣服のシワ伸ばし装置を提供する。
【０００６】
【課題を解決するための手段】
添付図面を参照して本発明の要旨を説明する。
【０００７】
上着やズボンなどの衣服１のシワを伸ばすシワ伸ばし装置であって、衣服１を吊り下げ状態で収納し得る収納体２が設けられ、この収納体２内には衣服１の内側に位置し該衣服１を保持して吊り下げ状態に配設する吊下部４が設けられ、収納体２内にして吊下部４の上部所定位置には蒸気を供給する蒸気供給部３が設けられていることを特徴とする衣服のシワ伸ばし装置に係るものである。
【０００８】
また、請求項１記載の衣服のシワ伸ばし装置において、前記吊下部４には、吊り下げ状態とした衣服１の内部へ前記蒸気供給部３から供給される蒸気を導入する蒸気導入部６が設けられていることを特徴とする衣服のシワ伸ばし装置に係るものである。
【０００９】
また、請求項１，２いずれか１項に記載の衣服のシワ伸ばし装置において、前記吊下部４には、吊り下げ状態とした衣服１を揺動せしめる揺動機構７が設けられていることを特徴とする衣服のシワ伸ばし装置に係るものである。
【００１０】
【発明の作用及び効果】
本発明は、使用に際し、収納体２内の吊下部４に衣服１を吊り下げ状態とし、この状態で収納体２内にして吊下部４の上部所定位置に設けられた蒸気供給部３から蒸気を供給すると、衣服１に対して上方から蒸気が供給される。
【００１１】
この衣服１に対して上方から蒸気が供給される構造とすることで、仮に例えば複数の衣服１を吊り下げ状態にした場合であっても蒸気が衣服１同士間や各衣服１の内部に行き渡って良好なシワ伸ばしが行われることを確認している。
【００１２】
これは、例えば複数の衣服１を吊り下げ状態とした場合、この衣服１同士間の上方はある程度の間隔が保持され易く、一方、下方は衣服１同士がくっつき易い為、前述した従来例のように下方位置に設けられた蒸気供給部から蒸気を供給しても当該衣服１同士がくっついている箇所から上方へは蒸気が上がりにくく、よって蒸気が行き渡りにくいが、この点、本発明は、衣服１に対して上方から蒸気が供給されることになる為、衣服１の各所に蒸気が行き渡り易い状況であり、効率良く且つ確実に良好なシワ伸ばし作業が行われることになる。
【００１３】
以上のように、本発明は、従来にない画期的な作用効果を発揮し、極めて商品価値の高いものになる。
【００１４】
【発明の実施の態様】
図面は本発明の一実施例を図示したものであり、以下に説明する。
【００１５】
本実施例は、上着やズボンなどの衣服１のシワを伸ばすシワ伸ばし装置であって、衣服１を吊り下げ状態で収納し得る収納体２が設けられ、この収納体２内には衣服１の内側に位置し該衣服１を保持して吊り下げ状態に配設する吊下部４が設けられ、収納体２内にして吊下部４の上部所定位置には蒸気を供給する蒸気供給部３が設けられたものである。尚、本実施例では、衣服１として上着を図示して説明しているが、衣服１としてはズボンやスカーフなどの身にまとう生地製品を広く対象とするものである。
【００１６】
具体的には、図１に図示したように正面に開閉扉２ａを有する収納体２内の上部所定位置に吊下部４を設け、この吊下部４の近傍位置に蒸気Ｓを供給する蒸気供給部３が設けられている。
【００１７】
吊下部４は、収納体２の上部所定位置に水平状態に横設される長尺の吊下部材８と、この吊下部材８の所定位置に着脱自在に係止し得るハンガー部材９とで構成されている。
【００１８】
吊下部材８は、その上面部に所定間隔を介して複数の凹部８ａが形成されており、この凹部８ａはハンガー部材９を位置決め係止し得るためのものである。
【００１９】
また、吊下部材８は水平状態を維持したまま揺動するように構成されている。
【００２０】
具体的には、吊下部材８は、収納体２の天部２ｂの左右２箇所に設けられる回動体１０に連結されており、この回動体１０は、上端部が駆動装置１１に連結されて回動する回動軸１２と、この回動軸１２の下端部に連結部材１３を介して固着連結され、また、この連結部材１３は吊下部材８に設けた連結軸１４と枢着されており、回動軸１２の回動により吊下部材８は連結部材１３の回転にともなって水平方向に回転することになる。
【００２１】
また、回動体１０同志は、駆動モーター１９，スプロケット１５及びベルト部材１６から成る前述した駆動装置１１を介して連動するように構成されており、よって、この駆動装置１１を作動させて回動軸１２を回動させることにより、吊下部材８は水平方向に回転することになり、この吊下部材８に吊り下げられる衣服１は揺動することになる。符号２０はテンションローラーである。
【００２２】
図面のハンガー部材９は、内側から上着１の肩部を受けるものであって、正面視略三角形状にして内部に空間を有する中空体を設け、その上部には内部空間と連通する開口部９ａが形成されており、この上部開口部９ａには吊下部材８に設けた凹部８ａに吊り下げ係止されるフック部材１７が設けられている。
【００２３】
また、ハンガー部材９の上部開口部９ａは蒸気供給部３から供給される蒸気Ｓを導入する蒸気導入部６として構成されている。
【００２４】
また、ハンガー部材９は、その背面部には複数の孔９ｂが形成されており、この孔９ｂは、下部開口部９ｃとともに蒸気導入部６から導入した蒸気Ｓを排出する蒸気排出孔として構成されている。
【００２５】
従って、蒸気導入部６からハンガー部材９内に導入された蒸気Ｓは蒸気排出孔から排出され、ハンガー部材９に掛けられて吊り下げ状態となる衣服１、例えば上着１の胴部１ａ及び袖部１ｂ夫々の内部に蒸気Ｓが導入されることになる。符号９ｄはハンガー部材９内に導入された蒸気Ｓを左右に誘導する蒸気誘導板である。
【００２６】
蒸気供給部３は、収納体２内の上部所定位置にして吊下部材８の近傍位置に蒸気Ｓを噴射する噴射ノズル５を配設して構成されている。
【００２７】
この噴射ノズル５は、前述した吊下部４の揺動機構７により回転するハンガー部材９の蒸気導入部６内に常に蒸気Ｓを供給し得るような位置に設けられている。尚、この噴射ノズル５は複数のハンガー部材９に対応できるように複数設けられている。
【００２８】
この噴射ノズル５からは、蒸気供給源１８から供給される約９０℃〜１００℃の蒸気Ｓが噴射される。
【００２９】
また、本実施例では、収納体２の下方位置に熱冷風装置が設けられている。
【００３０】
この熱冷風装置は、適宜な切替え装置によりファン２１からの送風が収納体２の下方中央部のラジエーター部２２を通過することで収納体２内に下方から熱風（Ａ）を供給したり、このラジエーター部２２を通過せず周囲の空間２３を通過することで収納体２内に下方から冷風（Ａ’）を供給したりするものである。
【００３１】
この熱冷風装置は、熱風（Ａ）だけを供給して蒸気Ｓにより湿った衣服１を乾燥させたり、冷風（Ａ’）だけを供給して収納体２内の温度調節を行うように機能する。
【００３２】
符号２４は排気筒である。
【００３３】
以上の構成からなる本実施例に係るシワ伸ばし装置の使用方法について説明する。
【００３４】
吊下部４に係る吊下部材８の凹部８ａに衣服１を掛けたハンガー部材９を係止して、収納体２内に衣服１を吊り下げ状態とする。
【００３５】
続いて、蒸気供給部３に係る噴射ノズル５から蒸気Ｓを噴射するとともに、揺動機構７により吊下部４を回転させて衣服１を揺動させてシワ伸ばしが行われる。この際、噴射ノズル５から噴射された蒸気Ｓは、上方から下方へ収納体１内全体に充満することになるのは勿論、吊下部４に係るハンガー部材９の蒸気導入部６から蒸気排気孔を通過して衣服１の内部（胴部１ａ及び袖部１ｂ）に導入されている。
【００３６】
続いて、熱冷風装置から熱風を供給して蒸気Ｓで湿った衣服１の乾燥作業が行われる。
【００３７】
続いて、熱冷風装置から冷風を供給するとともに排気筒２４から熱を排気して高温状態の収納体１内を冷却し、開閉扉２ａから衣服１を取り出せる状態とし、作業は完了する。
【００３８】
よって、本実施例によれば、衣服１に対して上方から蒸気が供給されることになる為、衣服１の各所に蒸気が行き渡り易い状況であり、効率良く且つ確実に良好なシワ伸ばし作業が行われることになり、例えばクリーニング店の仕上げ用の機械として使用したり、ホテルの宿泊者向けサービスとしての利用が可能である。
【００３９】
また、本実施例は、吊り下げ状態とした衣服１の内部へ蒸気供給部３から供給される蒸気を導入する蒸気導入部６を吊下部４に設けたから、衣服１の内面部へ積極的に蒸気を導入し得ることにより、より一層効率良く且つ確実に良好なシワ伸ばし作業が行われることになる。
【００４０】
また、本実施例は、吊り下げ状態とした衣服１を水平方向に公転（平面視円運動）させて揺動せしめる揺動機構７を吊下部４に設けたから、より一層効率良く且つ確実に良好なシワ伸ばし作業が行われることになる。この衣服１を揺動（回転）させることで良好にシワが伸びる点については、何ら揺動させない場合と比較するなど、本出願人は繰り返し行った実験により確認している。
【００４１】
尚、本発明は、本実施例に限られるものではなく、各構成要件の具体的構成は適宜設計し得るものである。
【図面の簡単な説明】
【図１】本実施例を説明する側断面図である。
【図２】本実施例に係る要部を説明する正面図である。
【図３】本実施例に係る要部を説明する平面図である。
【図４】本実施例を説明する平面図である。
【図５】本実施例に係る要部を説明する側断面図である。
【符号の説明】
１　衣服
２　収納体
３　蒸気供給部
４　吊下部
６　蒸気導入部
７　揺動機構
【図１】
2004033300.tif 000003
【図２】
2004033300.tif 000004
【図３】
2004033300.tif 000005
【図４】
2004033300.tif 000006
【図５】
2004033300.tif 000007